(57)【要約】      （修正有）【課題】無線通信ネットワークとの接続を開始する前にネットワークサブシステムに対して移動無線通信装置を再選択する方法。【解決手段】接続要求は、ユーザ入力に応答して移動無線通信装置により受信される（４０２）。無線通信ネットワークにおいて複数のネットワークサブシステムから移動無線通信装置により受信された信号の属性は、ある期間にわたり測定される（４０３）。移動無線通信装置は、ネットワークサブシステムの１つと関連付けられ、他のネットワークサブシステムと関連付けられない。移動無線通信装置は、測定した受信信号属性から生成された品質計測値に基づいてネットワークサブシステムの１つへ再選択する（４０４）。再選択の後、移動無線通信装置は、再選択したネットワークサブシステムを介する接続を開始する（４０５）。【選択図】図４
2011205618.tif 000002
【特許請求の範囲】
【請求項１】
移動無線通信装置が電源を投入され且つ無線ネットワークに接続されないときに、前記移動無線通信装置において、
複数の無線ネットワークサブシステムから受信した無線信号の無線信号属性を評価する工程と、
前記評価に基づいて前記複数の無線ネットワークサブシステムのうちの１つを識別する工程と、
ネットワーク接続要求が前記移動無線通信装置により生成されるまで前記評価する工程及び前記識別する工程を繰り返す工程と、
前記ネットワーク接続要求に応答して、前記移動無線通信装置を前記識別した無線ネットワークサブシステムと関連付け且つ前記関連付けられた無線ネットワークサブシステムを使用して、前記無線ネットワークに対する接続を開始する工程と、を有することを特徴とする方法。
【請求項２】
前記無線信号属性評価の履歴レコードを作成する工程を更に含むことを特徴とする請求項１に記載の方法。
【請求項３】
前記評価する工程は、
前記無線信号の少なくとも１つ以上の無線信号属性を測定する工程と、
前記測定した無線信号属性を互いに比較する工程と、を含むことを特徴とする請求項１に記載の方法。
【請求項４】
無線ネットワークに接続するための要求を生成する工程と、
前記要求に応答して、
移動無線通信装置において複数のネットワークサブシステムから１つ以上の無線信号属性を有する無線信号を受信する工程と、
前記少なくとも１つ以上の無線信号属性を測定する工程と、
前記測定した１つ以上の無線信号属性を互いに比較する工程と、
前記比較に基づいて前記複数のネットワークサブシステムのうちの１つを前記移動無線通信装置と関連付ける工程と、
前記複数のネットワークサブシステムのうちの前記関連付けられた１つのネットワークサブシステムを使用して前記移動無線通信装置と前記無線ネットワークとの間の接続を開始する工程と、を有することを特徴とする方法。
【請求項５】
前記測定した信号属性は、受信信号強度及び受信信号品質のうちの少なくとも一方を含むことを特徴とする請求項４に記載の方法。
【請求項６】
前記複数のネットワークサブシステムは、少なくとも第１のセル基地局トランシーバ及び第２のセル基地局トランシーバを含むことを特徴とする請求項５に記載の方法。
【請求項７】
前記比較により前記第２のセル基地局トランシーバの前記測定した信号属性のうちの少なくとも１つが前記第１のセル基地局トランシーバの前記測定した信号属性より高い品質を有することが示される場合、前記接続の前記開始の前に前記第１のセル基地局トランシーバから前記第２のセル基地局トランシーバに対して前記移動無線通信装置を再選択する工程を更に含むことを特徴とする請求項６に記載の方法。
【請求項８】
前記再選択は、前記第１のセル基地局トランシーバ及び前記第２のセル基地局トランシーバが同一の位置エリア識別子を有する場合にのみ行われることを特徴とする請求項７に記載の方法。
【請求項９】
移動無線通信装置であって、
複数の無線ネットワークサブシステムから少なくとも無線信号強度及び無線信号品質を含む１つ以上の信号属性を有する無線信号を受信するように構成された無線トランシーバと、
前記無線トランシーバに接続されたプロセッサであって、
前記移動無線通信装置により受信された前記無線信号の１つ以上の信号属性を測定する命令と、
前記測定した１つ以上の信号属性を互いに比較する命令と、
前記比較に基づいて前記複数のネットワークサブシステムのうちの１つを識別する命令と、
前記移動無線通信装置を前記識別した無線ネットワークサブシステムと関連付ける命令と、
前記識別した無線ネットワークサブシステムを使用して前記無線ネットワークに対する前記接続を開始する命令と、を実行するように構成されたプロセッサと、を備えることを特徴とする移動無線通信装置。
【請求項１０】
前記複数のネットワークサブシステムは、少なくとも第１のセル基地局トランシーバ及び第２のセル基地局トランシーバを含むことを特徴とする請求項９に記載の移動無線通信装置。
【請求項１１】
前記比較により前記第２のセル基地局トランシーバの前記信号属性が前記第１のセル基地局トランシーバの前記信号属性より安定していることが示される場合、前記接続の前記開始の前に前記第１のセル基地局トランシーバから前記第２のセル基地局トランシーバへ、前記移動無線通信装置を再選択することを更に含むことを特徴とする請求項１０記載の移動無線通信装置。
【請求項１２】
無線通信ネットワークとの接続を開始する前に移動無線通信装置をネットワークサブシステムに関連付ける方法であって、
前記移動無線通信装置において、
前記無線通信ネットワークに接続するための要求を受信する工程と、
前記移動無線通信装置と関連付けられた第１のネットワークサブシステム及び前記移動無線通信装置と関連付けられていない前記無線通信ネットワークの第２のネットワークサブシステムから受信された信号の１つ以上の属性を測定する工程と、
前記測定した信号の属性に基づいて前記移動無線通信装置を前記第１のネットワークサブシステム又は前記第２のネットワークサブシステムと関連付ける工程と、
前記関連付けられたネットワークサブシステムを介する前記無線通信ネットワークとの前記移動無線通信装置の前記接続を開始する工程と、を有することを特徴とする方法。
【請求項１３】
前記無線通信ネットワークの複数のネットワークサブシステムからある期間にわたり前記移動無線通信装置により受信された信号の属性を測定する工程と、
ネットワークサブシステム毎に品質計測値を生成するために前記測定した属性を組み合わせる工程と、
前記生成した品質計測値に基づいて前記ネットワークサブシステムをランク付けする工程と、を更に含むことを特徴とする請求項１２に記載の方法。
【請求項１４】
前記第１のネットワークサブシステム及び前記第２のネットワークサブシステムは、前記無線通信ネットワークの第１のセル及び第２のセルのそれぞれの基地局トランシーバであることを特徴とする請求項１２に記載の方法。
【請求項１５】
前記移動無線通信装置を前記関連付けることは、前記基地局トランシーバの位置エリア識別子に更に基づくことを特徴とする請求項１４に記載の方法。
【請求項１６】
移動無線通信装置が無線ネットワークに接続する前に前記移動無線通信装置において受信された無線信号の測定した信号属性に基づいて前記移動無線通信装置を前記無線ネットワークの無線ネットワークサブシステムと関連付けるための、コンピュータ可読媒体に記憶されたコンピュータプログラムであって、コンピュータに、
前記無線ネットワークの複数のネットワークサブシステムから前記移動無線通信装置において１つ以上の無線信号属性を有する前記無線信号を受信する工程と、
前記受信した無線信号の少なくとも１つ以上の無線信号属性を測定する工程と、
前記測定した１つ以上の信号属性を互いに比較する工程と、
前記比較に基づいて前記複数のネットワークサブシステムのうちの１つを識別する工程と、
前記識別した無線ネットワークサブシステムと関連付け且つ前記識別した無線ネットワークサブシステムを使用して前記無線ネットワークに対する接続を開始する工程と、を実行させるためのコンピュータプログラム。
【請求項１７】
前記測定した信号属性は、受信信号強度及び受信信号品質のうちの少なくとも一方を含む請求項１６に記載のコンピュータプログラム。
【請求項１８】
前記複数のネットワークサブシステムは、少なくとも第１のセル基地局トランシーバ及び第２のセル基地局トランシーバを含む請求項１６に記載のコンピュータプログラム。
【請求項１９】
コンピュータに、前記比較により前記第２のセル基地局トランシーバの前記信号属性が前記第１のセル基地局トランシーバの前記信号属性より安定していることが示される場合、前記接続の前記開始の前に前記第１のセル基地局トランシーバから前記第２のセル基地局トランシーバに対して前記移動無線通信装置を再選択する工程を更に実行させるための、請求項１８に記載のコンピュータプログラム。
【請求項２０】
コンピュータに、
前記第１のセル基地局トランシーバ及び前記第２のセル基地局トランシーバの位置エリア識別子を判定する工程と、
前記判定した位置エリア識別子を使用して前記移動無線通信装置を再選択する工程と、を更に実行させるための、請求項１９に記載のコンピュータプログラム。
【発明の詳細な説明】
【技術分野】
【０００１】
本発明は、一般に無線移動通信に関する。特に、移動無線通信装置により発呼する前にセル再選択を実行する方法に関する。
【背景技術】
【０００２】
携帯電話又は無線パーソナルデジタルアシスタント等の移動無線通信装置は、例えば音声通信、テキストメッセージング、インターネット閲覧及び電子メールを含む広範な通信サービスを提供できる。移動無線通信装置は、重なり合う「セル」の無線通信ネットワークにおいて動作可能であり、各セルは、基地局トランシーバ（base transceiver station: ＢＴＳ）から続く無線信号サービスエリアの地理的領域を提供する。アイドル状態であってもアクティブに接続されても、移動無線通信装置は、無線通信ネットワークにおいて「サービング」セルと関連付けられ、移動無線通信装置が更に関連付けられることが可能な隣接セルを認識できる。移動無線通信装置とＢＴＳとの間の通信リンクの品質は、それらの距離及び通信リンクのいずれかの終端における受信信号に含まれた干渉に基づいて変動する。移動無線通信装置がＢＴＳから更に遠くに移動すると、最終的に、隣接セルは現在のサービングセル以上の性能の通信を提供できるようになる。移動無線通信装置は、関連するセルを切り替えるか及び切り替える時期を判定する処理を含むことができる。移動無線通信装置がサービングセルにアクティブに接続される場合、隣接セルに切り替える処理は「ハンドオフ」として既知である。サービングセルと関連付けられる移動無線通信装置が「アイドル」状態である場合、隣接セルと関連付ける処理は「セル再選択」として既知である。
【０００３】
電源投入初期化の後等、移動無線通信装置が無線通信ネットワークと関連付けられることを要求する場合、移動無線通信装置は自身の近傍に位置するセルを探索できる。無線通信リンクを提供するのに十分な性能品質を有するセルが位置している場合、移動無線通信装置はそのセルと関連付けられる。移動無線通信装置は、セルの無線通信ネットワークにおける特定の「サービング」セルに「キャンプオン」できる。サービングセルにキャンプオンしている間、移動無線通信装置は、サービングセルのＢＴＳ及び隣接セルに位置する他のＢＴＳからブロードキャストされたメッセージをリスン（listen）できる。隣接セルが現在のサービングセルより高い品質の通信リンクを提供できると移動無線通信装置が判定した場合、移動無線通信装置は、一般に、特定の期間待機した後に「セル再選択」として既知の処理において、現在のサービングセルから分離して隣接セルと関連付けられる。移動無線通信装置といくつかの近傍のセルとの間の通信リンクの品質が変化するため、移動無線通信装置は、セル再選択を実行する前に待機することにより種々のセル間のバウンスを回避できる。
【０００４】
しかし、セル再選択の前に一定期間待機した結果、移動無線通信装置が有効な接続を開始しようとする時に接続の性能が低下するサービングセルと関連し続ける。現在のサービングセルにおけるＢＴＳと「アイドル」状態の移動無線装置との間の有効な接続は、一連のメッセージをやり取りすることにより移動無線通信装置またはＢＴＳにより開始される。移動無線通信装置と隣接セルとの間の接続の性能が結果としてより高い品質の接続となる場合でも、無線移動通信装置は、サービングセルにキャンプオンされる一方で、隣接セルではなく関連付けられるサービングセルとの接続を開始できる。移動無線通信装置とサービングセルとの間の接続の性能は、接続が切断される前に移動無線通信装置が隣接セルにハンドオフできないほど迅速に非常に低下する可能性がある。
【０００５】
従って、サービングセルと移動無線通信装置との間のリンクの品質を評価し且つ可能であれば移動無線通信装置による発呼の前により高い品質のセルへ再選択する必要がある。サービングセルに加えて複数の隣接セルの品質を監視することにより、発呼の成功率が向上する。
【発明の概要】
【発明が解決しようとする課題】
【０００６】
本願では、無線通信ネットワークとの移動無線通信装置の接続を開始する前に移動無線通信装置をネットワークシステムと関連付ける方法に関する種々の実施形態を説明する。
【課題を解決するための手段】
【０００７】
一実施形態において、方法を説明する。方法は、移動無線通信装置において実行される。説明する実施形態において、移動無線通信装置は、電源を投入され且つ無線ネットワークに接続されない場合、複数の無線ネットワークサブシステムから受信した無線信号の無線信号属性を評価でき、ネットワーク接続要求が移動無線通信装置により生成されるまでその評価に基づいて複数の無線ネットワークサブシステムのうちの１つを識別できる。移動通信装置は、接続要求に応答して、識別された無線ネットワークサブシステムと関連付けられ且つ識別された無線ネットワークサブシステムを使用して無線ネットワークへの接続を開始できる。
【０００８】
別の実施形態において、方法は移動無線通信装置により実行される。移動無線通信装置は、無線ネットワークに接続するための要求を生成できる。移動無線通信装置は、要求に応答して、複数のネットワークサブシステムから１つ以上の無線信号属性を有する無線信号を受信でき、少なくとも１つ以上の無線信号属性を測定でき、測定した１つ以上の信号属性を互いに比較でき、比較に基づいて複数のネットワークサブシステムのうちの１つを識別でき、且つ無線ネットワークに接続するために複数のネットワークサブシステムのうちの識別した１つのネットワークサブシステムを使用できる。
【０００９】
少なくとも無線トランシーバ及びプロセッサを含む移動無線通信装置が説明される。説明する実施形態において、無線トランシーバは、複数の無線ネットワークサブシステムから少なくとも無線信号強度及び無線信号品質を含む１つ以上の信号属性を有する無線信号を受信するように構成される。プロセッサは、移動無線通信装置により受信された無線信号の１つ以上の信号属性を測定する命令、測定した１つ以上の信号属性を互いに比較する命令、比較に基づいて移動無線通信装置を複数のネットワークサブシステムのうちの１つと関連付ける命令及び移動無線通信装置と複数のネットワークサブシステムのうちの関連付けられた１つのネットワークサブシステムとの間の接続を開始する命令を実行するように構成される。
【００１０】
無線通信ネットワークとの接続を開始する前にネットワークサブシステム間で移動無線通信装置を再選択する方法について説明する。方法は、移動無線通信装置により無線通信ネットワークに接続するための要求を受信し、移動無線通信装置と関連付けられた第１のネットワークサブシステム及び移動無線通信装置と関連付けられていない無線通信ネットワークの第２のネットワークサブシステムから移動無線通信装置により受信された信号の１つ以上の属性を測定し、測定した信号の属性に基づいて第１のネットワークサブシステム又は第２のネットワークサブシステムに対して移動無線通信装置を再選択し、且つ再選択されたネットワークサブシステムを介する無線通信ネットワークとの移動無線通信装置の接続を開始することにより実行される。
【００１１】
移動無線通信装置が無線ネットワークに参加する前に移動無線通信装置において受信された無線信号の測定した信号属性に基づいて移動無線通信装置を無線ネットワークの無線ネットワークサブシステムと関連付けるための有形のコンピュータ可読媒体に符号されたコンピュータプログラムについて説明する。コンピュータプログラムは、無線ネットワークの複数のネットワークサブシステムから移動無線通信装置において１つ以上の無線信号属性を有する無線信号を受信するためのコンピュータコードと、少なくとも１つ以上の無線信号属性を測定するためのコンピュータコード、測定した１つ以上の信号属性を互いに比較するためのコンピュータコードと、複数のネットワークサブシステムのうちの１つを識別するためのコンピュータコードとを少なくとも含む。
【００１２】
少なくともプロセッサを含む移動無線通信装置について説明する。移動無線通信装置が無線ネットワークに接続されない場合、プロセッサは、複数の無線ネットワークサブシステムから受信した無線信号の無線信号属性を評価し、評価に基づいて複数の無線ネットワークサブシステムのうちの１つにより移動無線通信装置を識別し、ネットワーク接続要求が移動無線通信装置により生成されるまで評価すること及び関連付けることを繰り返し、接続要求に応答して、複数の無線ネットワークサブシステムのうちの識別された１つの無線ネットワークサブシステムを使用して無線ネットワークに対する接続を開始する。
【００１３】
本発明及び本発明の利点は、添付の図面と共に以下の説明を参照することにより最もよく理解されるだろう。
【図面の簡単な説明】
【００１４】
【図１】図１は、無線セルラ通信ネットワーク内に配置された移動無線通信装置を示す図である。
【図２】図２は、無線セルラ通信ネットワークにおいていくつかのセルを横断する移動無線通信装置の変動する受信信号強度を示すグラフである。
【図３】図３は、無線通信ネットワークに対する制御信号マルチフレーム構造を示す図である。
【図４】図４は、ネットワークサブシステム間で移動無線通信装置の関連付けを変更する方法を示すフローチャートである。
【図５】図５は、発呼要求の受信後の移動無線通信装置によるセル再選択の代表的な方法を示すフローチャートである。
【図６】図６は、移動無線通信装置によりセルの集合を監視及びランク付けする代表的な方法を示すフローチャートである。
【図７】図７は、ページング要求の受信後の移動無線通信装置によるセル再選択の代表的な方法を示すフローチャートである。
【発明を実施するための形態】
【００１５】
以下の説明において、説明する実施形態の基礎となる概念を完全に理解できるように、特定の詳細を説明する。しかし、説明する実施形態がそれらの特定の詳細の一部又は全てを含まずに実施されてもよいことが当業者には明らかとなるだろう。他の例において、基礎となる概念を不必要に不明確にすることを回避するために、既知の処理ステップについては詳細に説明していない。
【００１６】
移動無線通信装置１０１は、重なり合う無線通信セルから成る無線通信ネットワーク１００とシームレスに接続する機能を含むことができる。各無線通信セルは、図１に示すように基地局トランシーバ（ＢＴＳ）から続く地理的領域を範囲に含む。移動無線通信装置１０１は、無線通信ネットワーク１００において複数の種々のセルから通信信号を受信できる。各セルは、移動無線通信装置から異なる距離のところに位置する。無線通信信号の信号強度が送信側と受信側との間の距離の２乗に比例して減衰するため、移動無線通信装置１０１は、所定の時間に最強の受信信号を有するセルを判定するために無線通信ネットワーク１００のいくつかの異なるセルからの受信信号強度を監視できる。移動無線通信装置１０１の場所が無線通信ネットワーク１００内で変更されるため、受信信号強度は実質的に変動し、移動無線通信装置１０１が受信する最強の信号の発信元となるセルは変更される。移動無線通信装置１０１は、受信する信号の発信元であるセルの動的テーブル及び各々から受信される信号強度の対応する基準を維持できる。
【００１７】
「電源投入」初期化の後又は同様に「新しい」無線通信ネットワークに入った時、移動無線通信装置１０１は、無線通信ネットワーク１００のセルと関連付けられることを要求できる。無線通信ネットワーク１００の各セルのＢＴＳは、ＢＴＳの顕著な特性を識別するメッセージの集合を定期的にブロードキャストできる。受信信号強度の測定値又は搬送波対干渉波比等の他の品質計測値に基づいて、移動無線通信装置１０１は、基地局トランシーバ１０４と関連付けられ、それにより無線通信ネットワーク１００内の特定のセルを「サービング」セル１０２として選択する。セルと関連付ける処理は、そのセルへの「キャンプオン」として既知である。サービングセル１０２と関連付けられた後、移動無線通信装置はサービングセル１０２との接続（音声又はデータ通話等）を開始できる。無線ネットワーク１００がサービングセル１０２と移動無線通信装置１０１との間の関連付けを認識できるため、サービングセル１０２の基地局トランシーバ１０４は移動無線通信装置１０１に対する接続を開始できる。移動無線通信装置１０１は、サービングセル１０２に「キャンプオン」される間、隣接セルからのブロードキャスト信号を監視し続けることができる。各信号は、関連付けられたＢＴＳと移動無線通信装置１０１との間の異なる距離を横断するだろう。図１に示すように、移動無線通信装置１０１は隣接セル１０３Ａ、Ｂ及びＣから検出可能な信号を受信できる一方で、隣接セルＤ１０３が配置される距離は遠すぎるため、どのブロードキャスト信号も確実に受信されない。信号強度を減衰させる距離に加えて、移動無線通信装置１０１が受ける干渉は無線ネットワーク１００内の種々のセルからの信号の受信及び検出の品質にも影響を及ぼす。
【００１８】
図２は、無線ネットワークのいくつかの重なり合うセルを横断する移動無線通信装置１０１に対する受信信号強度２０１を示すグラフ２００である。最初に時間０において、移動無線通信装置１０１は、隣接セル２０４のＢＴＳではなくサービングセル２０３内のＢＴＳからより強度の大きい信号を受信できる。移動無線通信装置１０１とサービングセル２０３のＢＴＳとの間の距離は時間の経過と共に増加し、その結果、受信信号強度は低下する。それと同時に、隣接セル２０４のＢＴＳまでの距離は減少し、その結果、受信信号強度は上昇する。移動無線通信装置１０１は、どのセルから最強の信号が受信されるかを判定するためにいくつかの異なるセルに配置されたＢＴＳからの受信信号強度２０１を定期的に監視できる。隣接セルからの信号がある期間の間サービングセルからの信号を超える場合、移動無線通信装置１０１は、現在のサービングセルから隣接セルへ「再選択」すること、を選択できる。ＧＳＭ（汎ヨーロッパデジタル移動通信システム）システムにおいて、再選択に対する遅延時間は、現在のサービングセルから新しい隣接セルに切り替える前に少なくとも５秒待機するように設定される。
【００１９】
図２に示すように、隣接セル２０４からの信号強度は、時間２０２の０と１との間においてサービングセル２０３からの信号強度を超える。信号強度の変化を検出する処理時間を説明すると、移動無線通信装置１０１は、隣接セルがサービングセル２０３より良いことを時間値１までに検出できる。同一の時間値１において、移動無線通信装置１０１は接続を開始することを選択できる。移動無線通信装置１０１がサービングセル２０３と関連付けられるため、ネットワークとの接続は、サービングセル２０３のＢＴＳを介して通信することにより最初に実現される。サービングセル２０３からの受信信号強度２０１が隣接セル２０４から受信した信号強度より小さいが、移動無線通信装置１０１は再選択が完了するまで隣接セルと接続することを選択できない。移動無線通信装置１０１とサービングセル２０３との間の接続が開始されると、移動無線通信装置１０１は、無線ネットワークの制御下で「ハンドオフ」として既知の処理を介して接続を隣接セル２０４に転送できる。移動無線通信装置１０１は、無線ネットワークがハンドオフを行う時期を判断する前に受信信号性能を測定し且つそれらの測定値を無線ネットワークに通信することを要求されるため、「ハンドオフ」処理は完了するのに非常に長い時間がかかる。
【００２０】
ある状況において、移動無線通信装置１０１とサービングセル２０３のＢＴＳとの間の接続の信号強度は、サービングセル２０３から隣接セル２０４へのハンドオフが実現できないほど非常に弱い可能性がある。この場合、図２に示すように、移動無線通信装置１０１と無線ネットワークとの間の接続は、受信信号強度２０１が特定の閾値（例えば、−１１０ｄＢｍ）を下回った時に終了する（通話が切断される）。従って、移動無線通信装置１０１は、通話を開始する前により適切な隣接セルが存在することを認識できる一方で、ネットワークを使用する発呼が隣接セルの再選択の前に行われる場合は隣接セルとの接続は実現されない。移動無線通信装置１０１と無線ネットワークとの間の接続が完了することがないため又はサービングセルに対する完了した接続が弱すぎてより適切なセルに切り替えるためのメッセージを通信できないため、その接続は切断される。
【００２１】
現在の方法は、再選択を判定する品質の基準として受信信号強度を使用できる。しかし、より適切で迅速な方法は他の品質計測値も使用できる。移動無線通信装置とＢＴＳとの間の接続の品質は、ＢＴＳからブロードキャストされた信号に基づいて移動無線通信装置において複数の測定値を組み合わせることができる。そのような１つの測定値は、現在のサービングセル２０３及び隣接セル２０４等の１つ以上の隣接セルに対して図２に示すように受信信号強度２０１を含むことができる。（図２には示さないが、複数の隣接セルが図１に示すように利用可能であってもよく、各隣接セルからの受信信号強度２０１は監視される。）移動無線通信装置１０１は、瞬間的な受信信号強度又は平均受信信号強度に加えて、図２に示した受信信号強度線の傾き等の各セルに対する受信信号強度の変化を監視できる。従って、移動無線通信装置は、現在のセルの品質を推定できるだけでなく、各セルへの接続の将来の品質も予測できる。
【００２２】
移動無線通信装置１０１は、受信信号強度に加えて、受信信号及び受信干渉を計上し得る他の品質計測値を判定及び追跡できる。これらの品質計測値は、既知のデータパターンとの受信信号の相関、等化器出力に基づく信号対雑音比の推定値及び移動無線通信装置１０１の受信機内の復号化ユニットからのエラーの指示を含むことができる。図３に示すように、いくつかの実施形態において、ＢＴＳは制御信号情報を定期的に繰り返しブロードキャストできる。制御信号マルチフレーム３０１は、固定タイムスロット０で送信されるいくつかの種々のチャネルを含むことができ、マルチフレーム３０１の各フレームは、異なる制御チャネルに対する情報を含むことができる。ＧＳＭ無線通信ネットワークの場合、ＢＴＳは５１フレームのマルチフレーム３０１の１０フレーム毎に周波数補正チャネル（ＦＣＣＨ）３０２及び同期チャネル（ＳＣＨ）３０３を１度ブロードキャストできる。ＦＣＣＨ３０２は、固定周波数で信号を生成できる１４８個の連続したゼロのバーストから構成される。移動無線通信装置１０１が局部発振器をＢＴＳ送信機に位置合わせするためにＦＣＣＨ３０２からの受信固定周波数信号を使用できる一方で、ＢＴＳと自身との間の通信パスの品質を測定するためにＦＣＣＨ３０２を更に使用できる。一実施形態において、移動無線通信装置１０１は、干渉がある状態で信号強度を効果的に判定するためにフレーム０、１０、２０等においてＦＣＣＨ３０２で受信したバーストをゼロの固定パターンと相関できる。相関３０５は固定閾値又は適応閾値３０６と比較され、ＢＴＳと移動無線通信装置１０１との間の接続の品質を評価できる。同様に、ＳＣＨ３０３は、移動無線通信装置１０１とＢＴＳとの間の接続の品質を更に判定するためにフレーム１、１１、２１等において受信した受信信号と相関される６４ビットの固定の既知のパターンを含むことができる。ＦＣＣＨ３０２及びＳＣＨ３０３の相関に対して使用された閾値は互いに依存していない。
【００２３】
移動無線通信装置１０１は、ブロードキャスト制御チャネル（ＢＣＣＨ）３０４、ＦＣＣＨ及びＳＣＨ３０３で受信されたバーストに対する復号化成功率を監視できる。代表的な一実施形態において、移動無線通信装置１０１は、サービングセル及び上述したように品質計測値を使用して各セルの性能をランク付けする１つ以上の隣接セルに対する品質のデータベースを維持できる。移動無線通信装置は、サービングセルのＢＣＣＨ３０４、並びに既知の隣接セルのＦＣＣＨ３０２及びＳＣＨ３０３を監視できる。（ＧＳＭネットワークの場合、サービングセルは、隣接セルのリストをＢＣＣＨでブロードキャストできる。）監視される品質計測値のうちの１つ以上に対して最小閾値が満たされる場合、隣接セルは再選択の候補と考えられる。例えば、再選択された隣接セルとの通信に対して最小の復号化エラーが予想されるか又は復号化エラーが予想されないことを示すＳＣＨ及びＦＣＨの復号化の成功に対して閾値が設定される。移動無線通信装置１０１はバッテリを含むことができ、バッテリによる電力消費を最小にするために、移動無線通信装置は、接続品質の監視及びランク付けを常にではなくサービングセルの性能が減衰している期間に限定することにより計算周期を低減できる。
【００２４】
図４は、無線通信ネットワークのセルのＢＴＳ等の無線ネットワークサブシステムを有する移動無線通信装置１０１を再選択する方法の一実施形態を示す。ステップ４０１において、移動無線通信装置１０１は第１のネットワークサブシステムと関連付けられる。例えば第１のネットワークシステムは、無線通信ネットワークのサービングセルのＢＴＳであってもよい。ステップ４０２において、移動無線通信装置１０１は接続要求を受信できる。接続要求は、外部無線通信ネットワークとのリンクを確立することを制御する移動無線通信装置１０１内の処理ブロックから発信される。ステップ４０３において、移動無線通信装置１０１は、移動無線通信装置１０１が関連付けられる現在のネットワークサブシステムより高い品質の接続を第２のネットワークサブシステムが提供できるかを判定できる。例えば隣接セルのＢＴＳは、移動無線通信装置１０１との接続が完了する近い将来において、現在関連付けられているサービングセルのＢＴＳと比較して、より高い品質を現在有することができるか又はより高い品質を有すると推定される。現在の第１のネットワークサブシステムが最適である場合、ステップ４０５において、移動無線通信装置１０１は現在の第１のネットワークサブシステムとの接続を開始できる。現在の第１のネットワークサブシステムが最適でない場合、ステップ４０４において、移動無線通信装置１０１は、より高い品質の第２のネットワークサブシステムに対してまず再選択することができ、接続がステップ４０５で開始される。
【００２５】
図５は、無線通信ネットワークの１つ以上のネットワークサブシステムに対して移動無縁通信装置１０１を再選択する方法の特定の一実施形態を更に詳細に示す。ステップ５０１において、移動無線通信装置１０１は「アイドル」モードである。すなわち、無線通信ネットワークの「サービング」セルのＢＴＳと関連付けられているがアクティブには接続されていない。ステップ５０２において、移動無線通信装置１０１は、無線通信ネットワークとのアクティブな接続を形成するための発呼要求を受信できる。発呼要求は、移動無線通信装置１０１のユーザにより生成される。
【００２６】
ステップ５０３において、移動無線通信装置１０１は、現在のサービングセルの信号強度が第１の閾値未満であるかを判定でき、それによりサービングセルのＢＴＳを介する移動無線通信装置１０１と無線通信ネットワークとの間の接続の性能が不十分であることを潜在的に証明できるかを検出する。一実施形態において、移動無線通信装置１０１は、サービングセルの受信信号強度が第１の閾値未満であるかを判定できる。現在のサービングセルの信号強度が第１の閾値を超える場合、ステップ５０６において、移動無線通信装置１０１はサービングセルのＢＴＳを使用して発呼できる。第１の閾値を超えない場合、ステップ５０４において、移動無線通信装置１０１は、現在のサービングセルの信号品質レベルが第２の閾値未満になったかを判定できる。ステップ５０３の信号強度のテストは、サービングセルのＢＴＳから受信した信号が低いかを判定できる一方で、干渉レベルも低く、例えば信号対干渉波比に基づくサービングセルとの接続の品質は効果的な通信を行うのに十分に高い。ＦＣＣＨ及びＳＣＨフレームの復号化成功率の測定及び受信等化器出力の検査等の品質計測値は、サービングセルの接続の品質を評価するために移動無線通信装置１０１で解析される。図５に概略を示した方法は、サービングセルの信号強度及び品質の双方が閾値を下回った時にステップ５０５の隣接セルに対するテストに進むが、その一方で別の実現例では、サービングセルの信号強度又はサービングセルの品質がそれぞれの閾値を下回った時にステップ５０５に進む。
【００２７】
現在のサービングセルの品質レベルが第２の閾値を超える場合、ステップ５０６において、移動無線通信装置１０１はサービングセルのＢＴＳを使用して発呼できる。第２の閾値を超えない場合、ステップ５０５において、移動無線通信装置１０１は、例えばより大きい信号強度又はより高い品質を有するセルである「より適切な」隣接セルが利用可能であるかを判定できる。サービングセルの信号強度及び品質が指定された閾値を下回った場合でも、いくつかのケースでは、全ての隣接セルがより弱い信号強度を有することがある。この場合、ステップ５０６において、移動無線通信装置１０１はサービングセルのＢＴＳを使用して発呼できる。しかし、隣接セルが現在のサービングセルより大きい信号強度を有する場合、移動無線通信装置１０１は、隣接セルが要求された通話を完了するのにより適切であるかを判定できる。ＧＳＭ無線通信ネットワークに対する代表的な一実施形態において、ステップ５０５において、移動無線通信装置１０１は、Ｃ２タイマが隣接セルに対して実行しているかを判定できる。隣接セルと関連付けられたＣ２タイマは、隣接セルの信号強度が現在のサービングセルの信号強度を超えるという通知（indication）を移動無線通信装置１０１に提供できる。
【００２８】
現在のサービングセルより大きい信号強度を有する隣接セルが存在する場合、ステップ５０７において、移動無線通信装置１０１は、最近のシステム情報がステップ５０５で識別された隣接セルに対して読み出されたかを判定できる。サービングセル及び隣接セルの双方は、移動無線通信装置１０１が接続可能な種々のセルとの接続の品質を評価及びランク付けするために、信号強度の基準、干渉レベル、復号化エラー、等化器出力又は他の受信パラメータ等の１つ以上の計測値に関して定期的に監視される。サービングセル及び隣接セルに対するシステム情報の履歴は、無線ネットワークと関連付けられ且つ接続されるセルを判定することを支援するために移動無線通信装置により解析され且つ移動無線通信装置に格納される。移動無線通信装置１０１は、より安定した信号品質を有するセルを介してネットワークと関連付けられ且つ接続することを選択できる。後述するように、図６は、サービングセル及び隣接セルの品質を監視するための方法の代表的な一実施形態を示す。
【００２９】
識別された「より適切な」隣接セルに対して現在のシステム情報が利用可能でない場合、ステップ５０８において、移動無線通信装置１０１は隣接セルに対して利用可能なシステム情報を読み出し且つ更新できる。ステップ５０９において、利用可能なシステム情報を使用して、移動無線通信装置１０１は隣接セルを使用する接続の品質が現在のサービングセルを使用する品質を超えるかを判定できる。隣接セルの品質がサービングセルの品質を下回る場合、ステップ５０６において、移動無線通信装置１０１は現在のサービングセルを介して発呼できる。
【００３０】
隣接セルの品質が現在のサービングセルの品質を超える場合、ステップ５１０において、移動無線通信装置１０１は、サービングセル及び隣接セルが同一の位置エリア識別子（Location Area Identifier：ＬＡＩ）を有するかを判定できる。無線通信ネットワーク内のいくつかのセルの集合は、特定の地理的領域に対応するセルのグループ等に対して共通のＬＡＩによりグループ化される。隣接セルがサービングセルとは異なる位置エリア識別子（ＬＡＩ）を有する場合、移動無線通信装置１０１はサービングセルにおいて発呼できる（ステップ５０６）。隣接セルがサービングセルと同一のＬＡＩを有する場合、ステップ５１１において、移動無線通信装置は隣接セルに対して再選択できる。最後にステップ５１２において、移動無線通信装置１０１は隣接セル（これは、実際にはステップ５１０の再選択後の新しいサービングセルであってもよい）において発呼できる。
【００３１】
図５は、代表的な一実施形態を示している。しかし、他の実施形態は、いくつかのステップの順序を再構成できるか又はいくつかのステップをスキップできる。例えば、図示するようにサービングセルの信号強度及びその品質の双方ではなくいずれかが関連する閾値を下回る場合、移動無線通信装置１０１はより適切な隣接セルを探索できる。同様に、隣接セルの信号強度レベルに関係なく、サービングセルの品質がサービングセルより適切である場合、移動無線通信装置１０１は隣接セルに対して再選択できる。受信信号の品質の基準は、信号強度の絶対レベルのみよりも関連性が高い。
【００３２】
図６は、再選択の候補である隣接セルの品質を評価するために移動無線通信装置１０１が「アイドル」モードである間に使用できる一連のステップを示す。ステップ６０１において、移動無線通信装置１０１は、「アイドル」モードでサービングセルと関連付けられる。ステップ６０２において、移動無線通信装置１０１は１つ以上の隣接セルに対してＦＣＣＨ及びＳＣＨフレームの復号化をスケジュールできる。ステップ６０３において、隣接セルの品質の評価は、受信等化器又は移動無線通信装置１０１のソフト復号器からの出力に基づく各隣接セルに対する信号対雑音比（ＳＮＲ）推定値及びＦＣＣＨ及びＳＣＨトレーニングシーケンスの復号化及び相関を含むことができる。ステップ６０３において、各隣接セルに対する受信ＦＣＣＨ及びＳＣＨフレームの評価の結果は、隣接セルから先に受信したＦＣＣＨ及びＳＣＨフレームからの格納された推定値と組み合わされ、監視された各品質計測値の最大値、平均値又は他の「フィルタリングされた」値を生成する。ステップ６０３は、ステップ６０４でテストされるように、Ｎ個の連続したＦＣＣＨ及びＳＣＨフレームが復号化されるまで繰り返される。ステップ６０５において、隣接セル毎にＮ個の連続したＦＣＣＨ及びＳＣＨフレームを復号化及び評価した後、移動無線通信装置１０１はＮ個の最新の測定値に基づいて監視した隣接セルをランク付けできる。移動無線通信装置１０１が継続してアイドルモードである場合、ステップ６０２〜６０５において品質計測値をスケジュールし、測定し、組み合わせ且つ格納すること、並びに隣接セルをランク付けすることは、ステップ６０６で示すように定期的に繰り返される。
【００３３】
以下の表は、無線通信ネットワークにおけるサービングセル及びいくつかの隣接セルに対して仮定した監視品質値の集合を一覧表示する。この表は、図５及び図６に示した方法の代表的な実施形態を示すことができる。
【００３４】
【表１】
2011205618.tif 000003
【００３５】
時間Ｔ０において、移動無線通信装置１０１は、−９０ｄＢｍの受信信号強度インジケータ（ＲＳＳＩ）及び６ｄＢの受信信号品質基準（ＳＮＲ）を有するサービングセル（ＳＣＥＬＬ）と関連付けられる。３つの隣接セル（ＮＣＥＬＬ１、ＮＣＥＬＬ２及びＮＣＥＬＬ３）の各々は、示されるようにサービングセルより小さい受信信号強度値を有する可能性がある。移動無線通信装置１０１は、図５のステップ５０３の第１の閾値に対して少なくとも−９５ｄＢｍの最小受信信号強度を要求できる。発呼要求が時間Ｔ０で行われる場合、移動無線通信装置１０１は、現在のサービングセルの信号強度で十分であるためサービングセルにおいて発呼できる。時間Ｔ１において、サービングセルにおける受信信号強度は−９５ｄＢｍ（要求された最小値である）まで減衰したが、その一方で−９３ｄＢｍの隣接セルＮＣＥＬＬ１は、移動無線通信装置１０１で測定された受信信号強度に関してサービングセルを超えることができる。発呼要求が時間Ｔ１で行われる場合、第１の閾値レベル設定に基づくとサービングセルの信号強度が依然として十分であるため、隣接セルの信号強度の方が高いが、移動無線通信装置１０１はサービングセルで依然として発呼できる。ステップ５０３の第１の閾値に対するレベルを設定することにより、隣接セルが再選択されると考えられる時期を判定できる。時間Ｔ２において、サービングセルの受信信号強度は第１の閾値−９５ｄＢｍを下回る−９７ｄＢｍまで減衰したが、その一方で−９０ｄＢｍで隣接セルＮＣＥＬＬ１から受信した信号及び−９４ｄＢｍで隣接セルＮＣＥＬＬ２から受信した信号は双方ともサービングセルの受信信号強度を超える。しかし、ステップ５０４のサービングセルの品質が十分である場合、時間Ｔ２における発呼要求の結果として、移動無線通信装置１０１は依然としてサービングセルにおいて発呼する。例えばサービングセルの品質に対する第２の閾値が３ｄＢに設定される場合、時間Ｔ２における４ｄＢのＳＮＲは、サービングセルが使用可能であることを依然として示すことができる。時間Ｔ３において、サービングセルの受信信号強度は−１００ｄＢｍまで減衰し続け、受信ＳＮＲはサービングセルの品質に対する第２の閾値３ｄＢを下回る２ｄＢまで低下する。発呼要求が時間Ｔ３で行われる場合、移動無線通信装置１０１は、図５及び図６に概略を示したようにより高い品質の接続を提供できる隣接セルを判定するために隣接セルＮＣＥＬＬ１及びＮＣＥＬＬ２からの格納及びフィルタリングされた品質計測値を評価できる。
【００３６】
図７は、無線通信ネットワークが接続を開始する時の移動無線通信装置１０１によるセル再選択の方法を示す。ステップ７０１において、移動無線通信装置１０１は「アイドル」モードであってもよい。すなわち、サービングセルのＢＴＳと関連付けられるがアクティブに接続されない。ステップ７０２において、移動無線通信装置１０１は、無線通信ネットワークからページ指示を受信できる。各々が異なるセルに配置され且つ共通のＬＡＩを共有するいくつかのＢＴＳのいずれかがそのページ指示を送信できる。ステップ７０３において、移動無線通信装置１０１は、関連付けられるサービングセルの受信信号強度が第１の閾値を下回ったかを判定できる。サービングセルの受信信号強度が第１の閾値を下回らない場合、移動無線通信装置１０１は、ステップ７０８に示すように発呼するためにサービングセルのＢＴＳにページング応答を送出できる。サービングセルの信号強度が第１の閾値を下回った場合、ステップ７０４において、移動無線通信装置１０１は、サービングセルの品質が第２の閾値を下回ったかを判定できる。品質閾値が満たされる場合、サービングセルは発呼に使用される。品質閾値が満たされない場合、移動無線通信装置は、ステップ７０５に示すように、隣接セルが現在のサービングセルより大きい信号強度を有するかを判定できる。全ての隣接セルが現在のサービングセルより小さい信号強度を有する場合、ページング応答は現在のサービングセルにおいて送出される。しかし、１つ以上の隣接セルが現在のサービングセルより大きい信号強度を有する場合、移動無線通信装置は、隣接セルのＬＡＩがサービングセルに対するものと同一であるかを判定できる。ステップ７０６に示すように隣接セルが同一のＬＡＩを有する場合、移動無線通信装置１０１は、ステップ７０７において隣接セルに対して再選択できる。ステップ７０８において、ページング応答は、再選択された隣接セル（ここでは、ステップ７０７で再選択された後のサービングセルである）に送出される。
【００３７】
説明した実施形態の種々の態様は、ソフトウェア、ハードウェア、あるいはハードウェア及びソフトウェアの組み合わせにより実現される。説明した実施形態は、製造事業を制御するコンピュータ可読媒体上のコンピュータ可読コードとして又は熱可塑性成形部を製造するのに使用される製造ラインを制御するコンピュータ可読媒体上のコンピュータ可読コードとして具体化される。コンピュータ可読媒体は、後でコンピュータシステムにより読み出し可能であるデータを格納できるあらゆるデータ記憶装置である。コンピュータ可読媒体の例としては、読み出し専用メモリ、ランダムアクセスメモリ、ＣＤ−ＲＯＭ、ＤＶＤ、磁気テープ、光データ記憶装置及び搬送波が含まれる。コンピュータ可読媒体は、コンピュータ可読コードが分散的に格納及び実行されるようにネットワークに結合されたコンピュータシステムにわたり分散される。
【００３８】
説明した実施形態の種々の態様、実施形態、実現例又は特徴は、別個に使用されてもよく又はあらゆる組み合わせで使用されてもよい。説明の目的のため、上記説明は本発明を完全に理解できるように特定の専門用語を使用した。しかし、本発明を実施するために特定の詳細が必要とされないことは、当業者には明らかとなるだろう。従って、本発明の特定の実施形態の上記説明は、例示及び説明の目的で提示される。上記説明は、本発明を網羅する意図はなく、あるいは本発明を開示された厳密な形式に限定する意図はない。上記教示を鑑みて多くの変更及び変形が可能であることは当業者には明らかとなるだろう。
【００３９】
実施形態は、本発明の原理及びその実際的な応用例を最適に説明し、それにより他の当業者が本発明及び特定の使用に適すると考えられる種々の変更を伴う種々の実施形態を最適に利用できるように選択及び説明された。
【００４０】
方法は、移動無線通信装置において、移動無線通信装置が電源を投入され且つ無線ネットワークに接続されない場合、複数の無線ネットワークサブシステムから受信した無線信号の無線信号属性を評価することと、評価に基づいて複数の無線ネットワークサブシステムのうちの１つを識別することと、ネットワーク接続要求が移動無線通信装置により生成されるまで評価すること及び識別することを繰り返すことと、ネットワーク接続要求に応答して、移動無線通信装置を識別した無線ネットワークサブシステムと関連付け且つ関連付けられた無線ネットワークサブシステムを使用して無線ネットワークに対する接続を開始することとから成る。方法は、無線信号属性評価の履歴レコードを作成することを更に含み、評価することは、無線信号の少なくとも１つ以上の無線信号属性を測定することと、測定した無線信号属性を互いに比較することとを含む。
【００４１】
無線通信ネットワークとの接続を開始する前に移動無線通信装置をネットワークサブシステムに関連付ける方法は、移動無線通信装置において、無線通信ネットワークに接続するための要求を受信することと、移動無線通信装置と関連付けられた第１のネットワークサブシステム及び移動無線通信装置と関連付けられていない無線通信ネットワークの第２のネットワークサブシステムから受信された信号の１つ以上の属性を測定することと、測定した信号の属性に基づいて移動無線通信装置を第１のネットワークサブシステム又は第２のネットワークサブシステムと関連付けることと、関連付けられたネットワークサブシステムを介する無線通信ネットワークとの移動無線通信装置の接続を開始することとから成る。方法は、無線通信ネットワークの複数のネットワークサブシステムからある期間にわたり移動無線通信装置により受信された信号の属性を測定することと、ネットワークサブシステム毎に品質計測値を生成するために測定した属性を組み合わせることと、生成した品質計測値に基づいてネットワークサブシステムをランク付けすることとを更に含む。第１のネットワークサブシステム及び第２のネットワークサブシステムは、無線通信ネットワークの第１のセル及び第２のセルのそれぞれの基地局トランシーバである。移動無線通信装置を関連付けることは、基地局トランシーバの位置エリア識別子に更に基づく。
【００４２】
移動無線通信装置はプロセッサを備える。移動無線通信装置が無線ネットワークに接続されない場合、プロセッサは、複数の無線ネットワークサブシステムから受信した無線信号の無線信号属性を評価し、評価に基づいて複数の無線ネットワークサブシステムのうちの１つを識別し、ネットワーク接続要求が移動無線通信装置により生成されるまで評価すること及び識別することを繰り返し、ネットワーク接続要求に応答して、識別した無線ネットワークサブシステムと関連付け且つ識別した無線ネットワークサブシステムを使用して無線ネットワークに対する接続を開始する。移動無線通信装置において、プロセッサは、少なくとも１つ以上の無線信号属性を測定し且つ測定した１つ以上の信号属性を互いに比較することにより無線信号属性を評価する。移動無線通信装置において、プロセッサは、無線ネットワークサブシステムの位置エリア識別子を判定し、測定された信号属性及び判定したＬＡＩを使用して無線ネットワークサブシステムを識別する。
【図１】
2011205618.tif 000004
【図２】
2011205618.tif 000005
【図３】
2011205618.tif 000006
【図４】
2011205618.tif 000007
【図５】
2011205618.tif 000008
【図６】
2011205618.tif 000009
【図７】
2011205618.tif 000010
【外国語明細書】
2011205618000001.pdf